(57)【特許請求の範囲】
【請求項１】
使用時には平面状態に広げられ且つ非使用時には湾曲状態に折り曲げられた液晶表示素子を具備した携帯用電子表示装置であって、液晶セルと、その液晶セルの外側に積層形成される補強板と、前記補強板の外側に付着されるフレキシブルフィルムと、前記補強板に形成される少なくても二箇所以上の空間部を含み、少なくても一部分に柔軟性を持った液晶表示素子を具備したことを特徴とする携帯用電子表示装置。
【請求項２】
前記液晶表示素子は、前記液晶セルに連結される回路基板と接続用ＩＣにより回路基板に接続されるドライバーを含むことを特徴とする請求項１に記載の携帯用電子表示装置。
【請求項３】
前記液晶表示素子は、前記液晶セルを回路基板に連結する柔軟性回路基板を含むことを特徴とする請求項２に記載の携帯用電子表示装置。
【請求項４】
略直方体とされた本体および前記液晶表示素子と前記本体を結合する手段を含み、前記液晶表示素子の大きさが前記本体の上面より大きく、
これにより、前記液晶表示素子が平面とされた状態では、前記液晶表示素子の一端側が前記本体の前面を越えて延在し、
前記液晶表示素子の柔軟性を持った部分が前記本体の前面から折り曲げられて下面を覆うことを特徴とする請求項１〜３の何れか一項に記載の携帯用電子表示装置。
【請求項５】
前記本体は、前面がラウンドされていることを特徴とする請求項４に記載の携帯用電子表示装置。
【請求項６】
前記結合する手段は、前記本体の両側面の上段面に形成されたガイド溝を備えたガイドとそのガイドの後面に形成されたピボット穴とを含むことを特徴とする請求項４に記載の携帯用電子表示装置。
【発明の詳細な説明】
【０００１】
【発明の属する技術分野】
本発明は、携帯用電子表示装置に係り、特にフレキシブルな液晶表示素子を具備することにより、折り曲げができて携帯時のサイズを減らせる携帯用電子表示装置に関する。
【０００２】
【従来の技術】
液晶表示素子は、光の透過度を電気的に制御できる液晶を使用して求める画像を表示するディスプレーとして低電圧駆動、低消費電力、そして薄く軽く製作することが可能なので、デジタル腕時計、ポケットベル、ノートブック型コンピューター等の多様な電子機器に幅広く適用されている。最近は電子機器の軽薄短小を実現するためにデジタル集積回路の超高密度化、電池の高容量化、ディスプレーの薄型化等の多角的な研究が進められている。
【０００３】
【発明が解決しようとする課題】
特に携帯用機器においては、上述したような軽薄短小の側面がさらに強調され、ブラウン管を使っていた従来のディスプレーがＬＣＤ、ＰＤＰやＥＬ等の平板ディスプレーに代替されて適用される趨勢である。しかし、平板ディスプレーを適用した製品は製品の厚さを減らすことが出来る反面、より良い視認の為にはディスプレーのパネル面積を大きくしなければならないので全体の製品面積を減らすことが出来なくなって使用者の携帯に不便さを与えている。
【０００４】
このような不便さを解消するために、大韓民国特許出願第９６−４１３７５にはディスプレーの中間部分を折り曲げられるようにすると同時に折り曲げる部分の継ぎ目が見えないようにした平板ディスプレーが提案されている。けれどもこのディスプレーはその折り曲げる部分での表示品質が落ちるという問題点がある。
【０００５】
【発明が解決しようとする課題】
このため、本発明の液晶表示素子は、液晶セルとその液晶セルの外側に形成される補強板と、その補強板に形成される少なくても二箇所以上の空間部を含み、少なくても一部分は柔軟性を持つことを特徴とする。
【０００６】
また、本発明の液晶表示素子は前記補強板の外側に付着されるフレキシブルフィルム、液晶セルに連結される回路基板および接続用ＩＣによって回路基板に接続される駆動ドライバーをさらに含むことが出来ることを特徴とする。
【０００７】
更に、本発明の携帯用電子表示装置は少なくても一部分に柔軟性を持ったフレキシブルな液晶表示素子と本体およびその液晶表示素子と本体とを結合する手段とからなることを特徴とする。
【０００８】
ここで、前記液晶表示素子の画面の大きさは本体の上面の２倍以上であり、本体の上面、下面および前面を完全に包むようになっている。さらに本体の前面はラウンドされていて液晶表示素子がやわらかく折り曲げられることを特徴とする。
【０００９】
【発明の実施の形態】
本発明は、平板ディスプレーを適用した製品の携帯サイズを縮小し、表示画面サイズを増大させる為に、コンパクトな構造で継ぎ目を除去したフレキシブルな液晶表示素子を提供し、また、本体とディスプレーをスライディングシステムで一体化して携帯サイズを縮小し表示画面サイズを増大させられる携帯用電子表示装置を提供することができる。
【００１０】
【実施例】
以下、本発明の望ましい実施例を添付の図面を元に詳しく説明する。図１は本発明の携帯用電子表示装置に関する一つの実施例を示している。この実施例では携帯用コンピューターを例に挙げて説明するが本発明はこれに限られるものではない。
【００１１】
この実施例による本発明の携帯用電子表示装置は本体２と液晶表示素子８を含んでいる。本体２の前面はラウンドされていることが特徴である。本体２の上方に露出した部分にはキーボード４が形成される。本体２には図面の点線で示されたデジタイザー６（digitazer）を選択的に付着した液晶表示素子８がスライディング収納可能に結合される。
【００１２】
この液晶表示素子８を本体２にスライディング自在に結合するために、上記本体２のお互いに対向する両側面の上端面にスライディングホーム１０を備えたガイド１２を形成し、そのガイド１２の後面にはピボット穴１４’を形成する。そして液晶表示素子８の下側辺の角部分にピボット軸１４を形成してこのピボット軸がスライドホーム１０に挿入されることによってスライディング収納可能に結合される。
【００１３】
また液晶表示素子８の対向する縁部には上記ガイド１２に対応する長さのフレーム１６を密着設置してスライディング収納時液晶表示素子８のよじれ変形を防止したり容易に収納出来るようにする。
【００１４】
一方、本体２の内部には収納されるデーター信号装置等と液晶表示素子８とを電気的に連結するために図２のように、本体２の上端面のガイド１２の下方にスリット１８を形成し、内部の統合されたコネクター２０の一端をこのスリット１８を通じて引き出して液晶表示素子８と接続させる。
【００１５】
ここで本発明の液晶表示素子８は、図３と図４に図示したように、平行に配置されたフレキシブル基板の間に液晶を注入した液晶セル２４を含み、それに回路基板２５がタップ実装で連結され、その回路基板２５には駆動ドライバー２６が接続用ＩＣ２８によって接続されて液晶を駆動させるのである。
【００１６】
もう少し詳しく言えば、液晶セル２４と接続される回路基板２５は相互データーを送受するためにコネクターの一種である柔軟性回路基板３０（Flexible printed circuit;以後ＦＰＣと呼ぶ）によって連結されることによって液晶表示素子８が折れ曲がっても損失無くデーターの移動が可能なものである。
【００１７】
本発明の液晶表示素子８はその中間部分の湾曲部３２が折れ曲がるようになっていて上記本体２の前面に対応してラウンド形態に折れ曲がる。湾曲部３２のフレキシブル基板の外側には補強板３４が配置され、これらは分割されて空間部３６を形成する。また補強板３６の外側にフレキシブルフィルム３８を付着してやわらかく折り曲がりながらも形態を維持できるようにする。
【００１８】
補強板は本発明の液晶表示素子がフレキシブルな基板で出来ており、これを広げて置いて使用する時にはその形態が変形されやすいため湾曲部を含む基板の形態を維持するために補強するものである。空間部は湾曲部が本体２の前面に対応するように折り曲げる場合に前面のラウンド形態によってやわらかな曲面に折り曲げられるように形成されるものであり、少なくても二箇所以上に設けることができる。
【００１９】
本発明の液晶表示素子は少なくても二箇所以上の湾曲部を設ける事も出来る。そのためにそれぞれの湾曲部３２の該当する部分に補強板３４およびフレキシブルフィルム３８そしてＦＰＣ３０を構成する。
【００２０】
このような構造で出来ている本発明のフレキシブルな液晶表示素子を備えた携帯用電子表示装置の作動を図５ａから図５ｄに示している。
【００２１】
図５は本発明による電子表示装置を使用する時の状態を示している。これは液晶表示素子８のフレーム部分（図示省略）が前述したガイド１２にスライディング挿入された状態である。この時には、本体２のキーボード４が露出しておらずペン入力が可能なデジタイザー６を使用してデーターを入力する。
【００２２】
一方、キーボード４を使用する場合には、図６に図示したように液晶表示素子８を持って引っ張ってピボット軸１４がスライドホーム１０にそって移動するようにガイド１２からフレーム１６部分を脱去することによってキーボード４を露出させることが出来る。
【００２３】
さらに使用を終了したり携帯または保管の場合には、図７および図８に図示したように液晶表示素子８を曲げて湾曲部３２が曲がった状態で９０度回転させると、ピボット軸１４がガイド１２のスライドホーム１０の内側一端にあるピボット穴１４’で回転して液晶表示素子８が本体２に折り曲げられるようになるのである。
【００２４】
【発明の効果】
以上、説明したように本発明による携帯用電子表示装置は従来より改善された形態を持っている。  つまり、液晶表示素子にピボット軸を形成し、本体にスライドホームを設けたガイドを形成することによりスライディングが出来る。また液晶表示素子の画像部に継ぎ目が無いのに曲げることが出来るフレキシブルな液晶表示素子を採用して、画面の増大をはかると同時に携帯サイズが小さい電子表示装置を得ることができる。
【図面の簡単な説明】
【図１】本発明に関するフレキシブルな液晶表示素子を備えた携帯用電子表示装置の斜視図である。
【図２】図１のＡ−Ａ部分の正断面図である。
【図３】液晶セルのモジュール部の平面図である。
【図４】フレキシブルな液晶表示素子の湾曲部の断面図である。
【図５】使用時の状態の携帯用電子表示装置の斜視図である。
【図６】キーボードを露出させた携帯用電子表示装置の斜視図である。
【図７】使用終了時の状態の携帯用電子表示装置の斜視図である。
【図８】液晶表示素子を折り曲げた状態の携帯用電子表示装置の斜視図である。
【符号の説明】
２  本体
８  液晶表示素子
１０  スライドホーム
１２  ガイド
１４  ピボット軸
１６  フレーム
【図１】
0004476375.tif 000002
【図２】
0004476375.tif 000003
【図３】
0004476375.tif 000004
【図４】
0004476375.tif 000005
【図５】
0004476375.tif 000006
【図６】
0004476375.tif 000007
【図７】
0004476375.tif 000008
【図８】
0004476375.tif 000009